(57)【要約】【課題】不適切な状態における給紙カセットの引き出しを防止することが可能な画像形成装置を提供することを目的とする。【解決手段】装置本体１１０から引き出し可能に装着された給紙カセット１２０と、該給紙カセット１２０に積載された最上部の記録用紙を繰り出すピックアップローラ５１と、該ピックアップローラ５１により繰り出された記録用紙を搬送路１１２に向けて搬送する給紙ローラ５３と、該給紙ローラ５３と記録用紙を介して圧接し当該記録用紙をピックアップローラ５１側へ戻す方向に回転するリタードローラ５４とを備え、搬送路１１２を搬送される記録用紙に画像を形成する画像形成装置１００において、給紙ローラ５３とリタードローラ５４との圧接位置Ｐと給紙カセット１２０端部との間に記録用紙が位置することを第１センサ５５が検知しているとき、給紙カセット１２０を装置本体１１０から引き出せないようにロックする。【選択図】図５
2008120502.tif 000002
【特許請求の範囲】
【請求項１】
多数枚の記録用紙が積載され装置本体から引き出し可能に装着された給紙カセットと、該給紙カセットに積載された最上部の記録用紙を繰り出すピックアップローラと、該ピックアップローラにより繰り出された記録用紙を搬送路に向けて搬送する給紙ローラと、該給紙ローラと記録用紙を介して圧接し当該記録用紙を前記ピックアップローラ側へ戻す方向に回転するリタードローラとを備え、前記搬送路を搬送される記録用紙に画像を形成する画像形成装置において、
前記給紙ローラと前記リタードローラとの圧接位置と前記給紙カセット端部との間に記録用紙が位置することをセンサが検知しているとき、前記給紙カセットを前記装置本体から引き出せないようにロックすることを特徴とする画像形成装置。
【請求項２】
前記ピックアップローラから前記圧接位置に記録用紙が繰り込まれる方向に対し直角方向、かつ前記圧接位置と同位相に前記センサが配置されることを特徴とする請求項１に記載の画像形成装置。
【請求項３】
前記圧接位置に記録用紙が位置しジャムが発生していることを検出した場合、前記圧接位置近傍の前記搬送路を開放する扉を開けてジャムを解消するように報知することを特徴とする請求項１又は２に記載の画像形成装置。
【発明の詳細な説明】
【技術分野】
【０００１】
本発明は、記録用紙に文字や図形等の画像を形成するプリンタ、ファクシミリ、複写機等の画像形成装置、詳しくは、記録用紙が積載され装置本体から引き出し可能に装着された給紙カセットを備えた画像形成装置に関する。
【背景技術】
【０００２】
記録用紙に文字や図形を記録するための画像形成装置には、プリンタ、ファクシミリ、複合機等がある。このような画像形成装置は、一般に、多数枚の記録用紙が積載される給紙カセットを引き出し可能に備えており、給紙カセットから繰り出された記録用紙が搬送路を搬送され、帯電、露光、現像及び転写等により画像が形成される。給紙カセットから記録用紙を繰り出す給紙機構には種々あるが、給紙カセットに積載された最上部の記録用紙をピックアップローラにより繰り出し、該記録用紙を搬送路に向けて給紙ローラが搬送し、搬送路に２枚以上の記録用紙が搬送されることをリタードローラによって阻止する給紙機構が採用されることがある。
【０００３】
このような画像形成装置においては、給紙カセットから繰り出される記録用紙がジャム（紙詰まり）した場合、搬送路を開放するサイドカバー等を開けてニップ（挟持）を解除した後に、ジャムした記録用紙を除去する必要がある。例えば、特許文献１に開示された複数の給紙カセットを備えた画像形成装置においては、給紙カセット近傍に配置された搬送ローラのニップ位置に存在する記録用紙を検知するセンサを設け、給紙カセットから繰り出された記録用紙がジャムした場合、前記センサからの検知信号により記録用紙がジャムした給紙カセットを判別し、ジャムの解消を容易にしている。
【特許文献１】特開平５−１９３７８４号公報
【発明の開示】
【発明が解決しようとする課題】
【０００４】
しかしながら、記録用紙が重送され給紙ローラとリタードローラとの間でニップされてジャムが生じているとき、当該記録用紙の先端が搬送ローラまで達していない場合がある。このような場合、ニップを解除しないまま給紙カセットを引き出すと、記録用紙の一端部がニップされた状態で他端部が給紙カセットの引き出しによって引っ張られるので、当該記録用紙は破断する。そして、このニップされた状態の破断した記録用紙の小片を取り除くことは非常に困難となるという問題があった。さらに、ジャムが生じていない場合であっても、記録用紙の先端部が給紙カセットの端部を越えて位置している場合、この状態でそのまま給紙カセットを引き出すと、給紙カセットを収容する装置本体ハウジングの壁面と接触して、先端部が折り曲がり、画像形成に用いられる記録用紙として不適なものとなるという問題があった。
【０００５】
本発明は、かかる課題に鑑みてなされたものであり、不適切な状態における給紙カセットの引き出しを防止することが可能な画像形成装置を提供することを目的とする。
【課題を解決するための手段】
【０００６】
上記目的を達成するために、請求項１に記載の画像形成装置は、多数枚の記録用紙が積載され装置本体から引き出し可能に装着された給紙カセットと、該給紙カセットに積載された最上部の記録用紙を繰り出すピックアップローラと、該ピックアップローラにより繰り出された記録用紙を搬送路に向けて搬送する給紙ローラと、該給紙ローラと記録用紙を介して圧接し当該記録用紙を前記ピックアップローラ側へ戻す方向に回転するリタードローラとを備え、前記搬送路を搬送される記録用紙に画像を形成する画像形成装置において、前記給紙ローラと前記リタードローラとの圧接位置と前記給紙カセット端部との間に記録用紙が位置することをセンサが検知しているとき、前記給紙カセットを前記装置本体から引き出せないようにロックすることを特徴としている。
【０００７】
請求項２に記載の画像形成装置は、請求項１に記載の画像形成装置において、前記ピックアップローラから前記圧接位置に記録用紙が繰り込まれる方向に対し直角方向、かつ前記圧接位置と同位相に前記センサが配置されることを特徴としている。
【０００８】
請求項３に記載の画像形成装置は、請求項１又は２に記載の画像形成装置において、前記圧接位置に記録用紙が位置しジャムが発生していることを検出した場合、前記圧接位置近傍の前記搬送路を開放する扉を開けてジャムを解消するように報知することを特徴としている。
【発明の効果】
【０００９】
請求項１に記載の画像形成装置によれば、給紙ローラとリタードローラとの圧接位置と給紙カセット端部との間に記録用紙が位置することをセンサが検知しているとき、給紙カセットを装置本体から引き出せないようにロックする。そのため、記録用紙の先端部が給紙カセット端部を越えて位置している場合、ユーザは給紙カセットを装置本体から引き出すことができない。よって、そのまま給紙カセットを引き出すことにより、記録用紙の一部が給紙カセットを収容する装置本体の壁面と接触して折り曲がり、当該記録用紙が画像形成に用いられる記録用紙として不適なものとなることを防ぐことができる。
【００１０】
請求項２に記載の画像形成装置によれば、ピックアップローラから前記圧接位置に記録用紙が繰り込まれる方向に対し直角方向、かつ圧接位置と同位相に前記センサが配置される。そのため、当該センサにて、前記圧接位置と給紙カセット端部との間に記録用紙が位置することを確実に検知することができる。なお、センサが配置されるとは、センサの検知部が配置されることをいう。
【００１１】
請求項３に記載の画像形成装置によれば、前記圧接位置に記録用紙が位置しジャムが発生していることを検出した場合、前記圧接位置近傍の搬送路を開放する扉を開けてジャムを解消するように報知する。そのため、前記圧接位置に記録用紙が位置しジャムが発生している場合、ニップを解除しないまま給紙カセットを引き出すことによって記録用紙が破断されることを防止できるとともに、ユーザに前記圧接位置近傍の搬送路を開放する扉を開けてジャムを解消するように促すことができる。よって、ユーザが容易にジャムを解消することが可能となる。
【発明を実施するための最良の形態】
【００１２】
以下、本発明の実施の形態に係る画像形成装置について図面に基づき説明する。本発明の実施の形態に係る画像形成装置を装備するコピー・ファクシミリ複合機１００は、図１にそのブロック図を示すように、制御部（ＭＰＵ：Microprocessing Unit）１、ＲＯＭ（Read Only Memory）２、ＲＡＭ（Random Access Memory）３、画像形成部４、給紙部５、給紙カセットロック部６、報知部７、及び操作部８を備えたものであって、各部１乃至８は、バス９によって通信可能に接続されている。
【００１３】
制御部１は、コピー・ファクシミリ複合機１００の各部の動作を制御する。ＲＯＭ２は、制御部１によりこのコピー・ファクシミリ複合機１００の各部の動作が制御されるための各種プログラムを格納している。ＲＡＭ３は、コピー・ファクシミリ複合機１００の処理動作に用いる処理設定情報や動作情報等の各種データを読み出し及び書き込み可能な状態で格納している。
【００１４】
コピー・ファクシミリ複合機１００は、その外観を示す概略斜視図を図２に示すように、記録用紙に画像を形成する画像形成部４や給紙部５等を内蔵した本体１１０と、記録用紙を順次供給する給紙カセット１２０と、原稿の画像を読み取るフラットベッドスキャナとして機能する読取載置台１３０と、画像読取や画像形成の開始等を入力するための操作パネル１４０とを具備してなる。
【００１５】
コピー・ファクシミリ複合機１００は、その本体１１０及び給紙カセット１２０の内部構成を示す概略部分縦断面図を図３に示すように、本体１１０の底部に記録用紙を収容する給紙カセット１２０が配設されている。給紙カセット１２０の上方に画像形成部４が配設され、更にその上方に排紙トレイ１１１が配設されている。給紙カセット１２０の一端部には給紙カセット１２０に収容された記録用紙を順次繰り出す給紙部５が本体１１０に配設されている。排紙トレイ１１１へ記録用紙を搬送するための搬送路１１２は、給紙部５から上方へ向かって延設されて画像形成部４に至り、更に上方へ延設された後、水平方向へ湾曲して排紙トレイ１１１へ通じるように形成されている。画像形成部４にて表面に画像が形成された記録用紙の裏面に画像形成部４にて画像を形成するための反転搬送路１１３は、画像形成部４より上流側の搬送路１１２から分流して下方へ向かい、画像形成部４より下流側にて搬送路１１２へと合流するように形成されている。また、図３には示していないが、排紙トレイ１１１の上方には前記読取載置台１３０及び操作パネル１４０が配設されている。
【００１６】
画像形成部４は、感光体ドラム４１、及びその周囲に配設された帯電器４２、ＬＥＤヘッド４３、現像器４４、転写ローラ４５、クリーニングブレード４６、並びに感光体ドラム４１の下流側の搬送路１１２に配設された定着器４７とから構成されている。
【００１７】
感光体ドラム４１は、モータにより所定速度で回転するものであり、帯電器４２により一定電圧に帯電される。帯電器４２は、所謂スコロトロン帯電器と呼ばれる非接触のコロナ帯電方式のものであり、放電ワイヤに所定の電圧が印加されて生じたコロナ放電によるイオン量をグリッド電極で制御する。なお、帯電器４２には、非接触のコロナ帯電方式に代えて接触型のローラ帯電方式等、他の帯電デバイスを採用してもよい。
【００１８】
ＬＥＤヘッド４３は、並設したＬＥＤアレイが発した光をセルフォックレンズアレイで感光体ドラム４１の表面に結像する所謂自己発光型のプリンタヘッドであり、前記感光体ドラム４１に対して画像情報に基づいて感光体ドラム４１の表面を選択的に露光して、該表面に静電潜像を形成する。帯電器４２により帯電された感光体ドラム４１の表面は、ＬＥＤヘッド４３により露光されることにより表面電位が減衰し、露光されていない部分との電位差により静電潜像が形成される。また、画像情報は、例えばフラットベッドスキャナとして機能する前記読取載置台１３０で読み取った原稿の画像が電気信号としてＬＥＤヘッド４３に送信されるようになっている。なお、露光デバイスとしては、ＬＥＤヘッド４３の他に半導体レーザを用いた走査光学系のものを採用してもよい。
【００１９】
現像器４４は、静電潜像に基づくトナー画像が感光体ドラム４１の表面に形成するものである。トナー容器のトナーが印加されるバイアス電圧の差により供給ローラを経て現像ローラへ供給され、現像ローラの表面にトナー層が形成される。トナー層が形成された現像ローラが前記感光体ドラム４１に近接した位置で回転され、感光体ドラム４１の静電潜像との電位差により現像ローラ上のトナーが感光体ドラム４１へ移動し、該静電潜像に基づいてトナー画像が感光体ドラム４１の表面に形成される。なお、このような現像器４４は一例であり、磁性トナー又は非磁性トナーの選択や、接触現像法又は非接触現像法の選択等は任意である。
【００２０】
転写ローラ４５は、搬送路１１２の対向位置において感光体ドラム４１に圧接されてなり、不図示の電気回路からバイアス電圧が印加されるようになっている。給紙カセット１２０から搬送路１１２を経て供給された記録用紙を感光体ドラム４１及び転写ローラ４５がニップしてバイアス電圧が印加されることにより、該感光体ドラム４１の表面に形成されたトナー画像が記録用紙へ転写される。
【００２１】
クリーニングブレード４６は、転写後の感光体ドラム４１に圧接され、不図示の電気回路から定電圧が印加されることにより、感光体ドラム４１の表面に残留したトナーや紙粉を除去するとともに静電潜像を消去するものである。これにより、感光体ドラム４１の表面が清掃されて連続使用が可能となる。なお、クリーニングブレード４６の代わりとしてクリーニングローラ等による他の接触型の方式や非接触方式も採用でき、また、クリーニングレス方式とすることもできる。
【００２２】
定着器４７は、搬送路１１２の対向位置に夫々配置された加熱ローラ１６ａ及び加圧ローラ１６ｂからなり、搬送路１１２を搬送された記録用紙上のトナー画像を加熱及び加圧して固定するものである。加熱ローラ４７ａの表面はヒータにより所定の温度に維持されており、該加熱ローラ４７ａに加圧ローラ４７ｂが所定の圧力で圧接されている。トナー画像が転写された記録用紙が、該加熱ローラ４７ａと加圧ローラ４７ｂとにニップされることにより記録用紙上のトナーが溶融されて固定される。このように構成された画像形成部４により、読取載置台１３０で読み取られた原稿の画像が記録用紙上に形成されるようになっている。
【００２３】
このように構成された画像形成部４へは、給紙カセット１２０から搬送路１１２に沿って記録用紙が搬送され、画像形成部４により画像が形成された記録用紙は排紙トレイ１１１へ排出される。該搬送路１１２は、給紙カセット１２０から画像形成部４へ略上方に向かって延設されている。搬送路１１２の途中には、記録用紙の斜行を是正するため、一対のレジストローラ１１４が搬送路１１２の対向位置に互いのローラ面と圧接するように配設されている。
【００２４】
画像形成部４と排紙トレイ１１１との間の搬送路１１２には適宜搬送ローラ１１５が設けられており、該搬送ローラ１１５により画像が形成された記録用紙が搬送され、正回転する排紙ローラ１１６により排紙トレイ１１１へ排出される。このような搬送路１１２により、給紙カセット１２０から排紙トレイ１１１へＣパスが形成されている。両面画像形成の場合には、片面に画像が形成された記録用紙を正回転する排紙ローラ１１６により排紙トレイ１１１側に搬送した後に所定のタイミングで排紙ローラ１１６を逆回転させてスイッチバックさせ、反転搬送路１１３に送り込む。反転搬送路１１３には適宜搬送ローラ１１７が設けられており、該搬送ローラ１１７により片面に画像が形成された記録用紙が搬送され、レジストローラ１１４の下流側から搬送路１１２へ再度送り込まれる。そして、画像形成部４により当該記録用紙の裏面に画像が形成される。
【００２５】
なお、本体１１０の一側方には、図２及び図３に示すように、反転搬送路１１５を開放可能なサイドカバー１１８が設けられている。サイドカバー１１８は、その下端部の支持軸１１８Ｐによって本体１１０に回動可能に軸支されており、本体１１０に対して開閉可能となっている。図４に示すように、反転搬送路１１３を搬送される記録用紙が、反転搬送路１１３に配置される搬送ローラ１１７間にニップされてジャムしたとき、サイドカバー１１８を開け、該搬送ローラ１１７間のニップを解いて反転搬送路１１３を開放させることにより、ジャムした記録用紙を容易に除去することが可能になっている。また、本体１１０には、搬送路１１２を開放可能な中間カバー１１９も設けられている。中間カバー１１９は、その下端部の支持軸１１９Ｐによって本体１１０に回動可能に軸支されており、サイドカバー１１８が開いた状態でのみ本体１１０に対して開閉可能となっている。搬送路１１２を搬送される記録用紙が、搬送路１１２に配置される搬送ローラ１１５間や給紙ローラ５３とリタードローラ５４との間にニップされてジャムしたとき、サイドカバー１１５及び中間カバー１１５を開け、これらの間のニップを解いて搬送路１１２を開放させることによって、ジャムした記録用紙を容易に除去することが可能になっている。
【００２６】
給紙カセット１２０は、特に図５に示すように、各種サイズの記録用紙を貯蔵可能な箱状のものであり、装置本体１１０の底部に引き出し可能に設けられて、必要に応じて記録用紙を装填できるように本体１１０に対して図５における手前方向に引き出し可能となっている。装置本体１１０のハウジングには、給紙カセット１２０を収容するための略直方形状の凹部スペースが、図５にその外形を２点鎖線にて示すように、設けられている。該給紙カセット１２０の内部には、所定サイズの記録用紙を給紙位置に保持するガイド１２１が配設されている。ガイド１２１は、所定範囲で揺動可能に設けられており、その底板が不図示のバネ等にて上方へ付勢されることにより、複数枚の記録用紙を積重した状態で保持するとともに、その最上紙の一端側を給紙位置に常時位置せしめる。
【００２７】
給紙部５は、ピックアップローラ５１、摩擦パッド５２、給紙ローラ５３及びリタードローラ５４を備えており、本体１１０に配設されている。
【００２８】
ピックアップローラ５１及び摩擦パッド５２は、給紙カセット１２０の給紙位置に設けられており、ガイド１２１により給紙位置に位置せしめられた記録用紙の最上紙がピックアップローラ５１に圧接する。ピックアップローラ５１は、基端側が給紙ローラ５３のローラ軸に回動可能に係止され、不図示のクラッチにより回動するピックアップアームの先端側に回転可能に支持されている。ピックアップアームは、給紙カセット１２０を引き出した際等の待機状態では先端側が上昇してピックアップローラ５１を記録用紙から離れた状態とし、記録用紙を繰り出す時には下方へ回動して、ピックアップローラ５１が記録用紙の最上紙と接触するように降下する。そして、ピックアップローラ５１は、最上紙と圧接しながら反時計方向周りに回転することにより記録用紙を、給紙ローラ５３とリタードローラ５４とのニップ位置（圧接位置）Ｐに送り込む。給紙ローラ５３及びリタードローラ５４は本体１１０に配設されている。
【００２９】
給紙ローラ５３は、不図示の駆動手段により反時計方向周りに回転されて、ピックアップローラ５１から繰り出された記録用紙の最上紙を搬送路１１２に向けて搬送する。リタードローラ５４は、給紙ローラ５３と記録用紙を介して圧接し当該記録用紙をピックアップローラ５１側へ戻す方向に回転するように、不図示のトルクリミッタを介して不図示の駆動手段により反時計周り方向に回転されるとともに、不図示の弾性機構により給紙ローラ５３に圧接される。リタードローラ５４は、記録用紙が１枚ニップ位置Ｐに送り込まれたとき、リミットトルクを超えてすべり、給紙ローラ５３に従動回転し、記録用紙を搬送路１１２へ繰り込む。一方、記録用紙が２枚以上ニップ位置Ｐに送り込まれたとき、リミッタトルクが記録用紙間の摩擦力に打ち勝ち、リタードローラ５４を逆回転させ、下側の記録用紙を押し戻して多数枚送りを防止する。これにより、記録用紙が１枚ずつ搬送路１１２に繰り込まれる。
【００３０】
しかしながら、給紙開始時に、ピックアップローラ５１が記録用紙上に下降した時の衝撃等により記録用紙にずれが生じ、下側の記録用紙が上側の記録用紙よりも繰り出し方向前方に突出した状態となることがあり、この状態でニップ位置Ｐに記録用紙が送り込まれると、突出した下側の記録用紙の先端部がニップ位置Ｐに先行して侵入するため、この記録用紙はリタードローラ５４によって戻されずに上側の記録用紙とともに搬送路１１２側へ送り出される。このような場合、記録用紙がニップ位置Ｐにニップされたままとなり、ジャム（紙詰まり）が発生する。
【００３１】
給紙ローラ５３とリタードローラ５４とのニップ位置Ｐと給紙カセット１２０の端部との間に記録用紙が位置することか否か検知する第１センサ５５が設けられている。第１センサ５５は、ピックアップローラ５１からニップ位置Ｐに記録用紙が繰り込まれる方向に対し直角方向、かつニップ位置Ｐと同位相に配置されることが好ましい。また、ニップ位置Ｐと搬送路１１２の始点Ｑ近傍との間に記録用紙が位置することか否か検知する第２センサ５５が設けられている。これら第１センサ５５及び第２センサ５６はともに、記録用紙が位置するか否かにそれぞれ応じた検知信号を出力するものであり、光学センサ、フォトセンサやマイクロスイッチなどの各種の検知手段からなるのであり、フィーラを備えたものであってもよい。
【００３２】
給紙カセットロック部６（図１参照。）は、給紙カセット１２０の引き出し方向の奥側（図２における右奥側）に設けられており、図６に示すように、給紙カセット１２０が本体１１０から引き出されることをロックすることが可能なようになっている。給紙カセットロック部６は、本体１１０に固定された軸６１と、軸６１を中心に回動可能なリンク部材６２と、リンク部材６２の基端部に連結されたソレノイド６３とを備えている。リンク部材６２の先端には、給紙カセット１２０の奥壁に形成された切欠１２２と係止する係止部６２ａが設けられている。ソレノイド６３は前記制御部１からの制御信号により動作する。給紙カセットロック部６は、給紙カセット１２０の引き出しをロックするときには、図６に実線にて示すように、ソレノイド６３のオンにより係止部６２ａが給紙カセット１２０の切欠１２２に係合する。これにより、給紙カセット１２０が引き出し方向（図６における左向き方向）に自由に移動されることができないようになっている。一方、給紙カセット１２０の引き出しをロックしないときには、図６に２点鎖線にて示すように、ソレノイド６３のオフによりリンク部材６２が時計周りに回転して、係止部６２ａと給紙カセット１２０の切欠１２２との係合が解かれる。これにより、給紙カセット１２０が引き出し方向へ自由に移動可能になっている。
【００３３】
操作パネル１４０（図２参照。）は、図１に示すように、各種の報知画面やコピー・ファクシミリ複合機１００の動作状態などを文字や図形などで表示するＬＣＤ（Liquid Crystal Display：液晶表示装置）や、音声データの音声やブザー音を鳴動して報知動作を行う不図示のスピーカ等からなる報知部７、及び原稿の読み取り、複写、送信等の開始を指示するためのスタートキー、複写枚数や送信先番号等を入力するためのテンキー、各種設定を入力するためのカーソルキーやボタンキーなどの各種操作キーからなる操作部８を備えている。
【００３４】
以下、記録用紙に画像を形成する場合、コピー・ファクシミリ複合機１００において行われる処理動作について、図７に示すフローチャートに基づいて説明する。なお、以下のフローチャートに基づいて説明するコピー・ファクシミリ複合機１００の処理動作は、ＲＯＭ２に格納されているプログラムに基づいて制御部１が発行する命令に従って行われる。
【００３５】
まず、給紙ローラ５３とリタードローラ５４とのニップ位置Ｐと給紙カセット１２０の端部との間に記録用紙が位置することか否かを判断する（Ｓ１）。具体的には、当該位置に記録用紙が位置したことを検知している検知信号が第１センサ５５から出力されているか否かに判断する。ここで、ニップ位置Ｐと給紙カセット１２０の端部との間に記録用紙が位置すると判断した場合（Ｓ１：ＹＥＳ）、給紙カセットロック部６は給紙カセット１２０が引き出されないようにロックする（Ｓ２）。
【００３６】
そして、給紙ローラ５３とリタードローラ５４とのニップ位置Ｐに記録用紙がニップされてジャムが発生しているか否かを判断する（Ｓ３）。具体的には、ニップ位置Ｐと搬送路１１２の始点Ｑとの間に記録用紙が位置したことを検知している検知信号が第２センサ５５から所定時間以上に渡って連続して出力されているか否かに判断する。ニップ位置Ｐに記録用紙がニップされてジャムが発生していると判断した場合（Ｓ３：ＹＥＳ）、サイドカバー１１８及び中間カバー１１９を開けて、ジャムされた記録用紙を取り除く旨を報知部７が報知する（Ｓ４）。具体的には、操作パネル１４０のＬＣＤに「用紙が給紙カセットの出口にて紙詰まりしています。サイドカバーと中間カバーを開けて、用紙を取り除いて下さい。」などのメッセージを表示する。
【００３７】
一方、ニップ位置Ｐと給紙カセット１２０の端部との間に記録用紙が位置しないと判断した場合（Ｓ１：ＮＯ）、給紙カセットロック部６は給紙カセット１２０が自由に引き出すことが可能なようにロックを解除する（Ｓ５）。
【００３８】
以上説明したように、このコピー・ファクシミリ複合機１００によれば、給紙ローラ５３とリタードローラ５４とのニップ位置Ｐと給紙カセット１２０の端部との間に記録用紙が位置することを第１センサ５５が検知しているとき（Ｓ１：ＹＥＳ）、給紙カセット１２０が装置本体１１０から引き出されないように給紙カセットロック部６によりロックされる（Ｓ２）。そのため、記録用紙の先端部が給紙カセット１２０の端部を越えて位置している場合、ユーザは給紙カセット１２０を装置本体１１０から引き出すことができない。よって、そのまま給紙カセット１２０を引き出すことにより、記録用紙の一部が給紙カセット１２０を収容する装置本体１１０のハウジングの壁面と接触して折り曲がり、当該記録用紙が画像形成に用いられる記録用紙として不適なものとなることを防ぐことができる。
【００３９】
また、給紙ローラ５３とリタードローラ５４とのニップ位置Ｐに記録用紙が位置しジャムが発生していることを検出した場合（Ｓ３：ＹＥＳ）、ニップ位置Ｐ近傍の搬送路１１２を開放するサイドカバー１１８及び中間カバー１１９を開けてジャムを解消するように報知する（Ｓ４）。そのため、ニップ位置Ｐに記録用紙が位置しジャムが発生している場合、ニップを解除しないまま給紙カセット１２０を引き出すことによって記録用紙が破断されることを防止できるとともに、ユーザにサイドカバー１１８及び中間カバー１１９を開けてジャムを解消するように促すことができる。よって、ユーザが容易にジャムを解消することが可能となる。
【００４０】
なお、本実施の形態で示したコピー・ファクシミリ複合機１００の構成は、本発明に係る感光体ドラム及び画像形成装置の一態様にすぎず、本発明の要旨を逸脱しない範囲内で種々の変形実施が可能である。例えば、第２センサ５６を搬送路１１２の始点Ｑより上流側に配設してもよい。
【００４１】
さらに、本実施の形態では、画像形成装置をコピー・ファクシミリ複合機１００として実施した態様を説明したが、画像読取装置はこれに限定されず、プリンタ、ファクシミリ、複写機及びこれらの任意の複合機等に適用可能である。
【図面の簡単な説明】
【００４２】
【図１】本発明の実施の形態に係るコピー・ファクシミリ複合機１００の構成例を示すブロック図である。
【図２】コピー・ファクシミリ複合機１００の外観を示す概略斜視図である。
【図３】コピー・ファクシミリ複合機１００の本体１１０及び給紙カセット１２０を示す概略部分縦断面図である。
【図４】サイドカバー１１８及び中間カバー１１９を開けた状態を示す概略部分縦断面図である。
【図５】給紙部５付近を概略部分縦断面図である。
【図６】給紙カセットロック部６を示す説明図である。
【図７】コピー・ファクシミリ複合機１００において行われる処理動作を示すフローチャートである。
【符号の説明】
【００４３】
１    制御部
４    画像形成部
５    給紙部
６    給紙カセットロック部
７    報知部
５１    ピックアップローラ
５２    摩擦パッド
５３    給紙ローラ
５４    リタードローラ
５５    第１センサ
５６    第２センサ
１００  コピー・ファクシミリ複合機（画像形成装置）
１１０  装置本体
１１８  サイドカバー（扉）
１１９  中間カバー（扉）
１２０  給紙カセット
１４０  操作パネル
【図１】
2008120502.tif 000003
【図２】
2008120502.tif 000004
【図３】
2008120502.tif 000005
【図４】
2008120502.tif 000006
【図５】
2008120502.tif 000007
【図６】
2008120502.tif 000008
【図７】
2008120502.tif 000009